(57)【要約】【課題】  表示装置の視認性を向上するとともに、表示装置の内部構造を外部から遮蔽し、透光性基板とモスアイフィルムの間に段差が生じないことによって、優れた外観品位を有する表示装置を提供する。【解決手段】  表示モジュール１０の前側に保護パネル３０を備える。保護パネル３０は透光性基板３１とモスアイフィルム３２と遮光層３３を有する。遮光層３３に表示モジュール１０外周より小さな開口部３３ａを更に備える。【選択図】  図２
2016161761.tif 000002
【特許請求の範囲】
【請求項１】
表示素子と、前記表示素子の前側に設けられた保護パネルと、を備えた表示装置であって、
前記保護パネルは、透光性基板と、前記透光性基板の前記表示素子側である後面に設けられた低反射部と、前記低反射部の後面に設けられた遮光層と、を有すると共に、
前記遮光層は、前記表示素子の外周よりも小さな開口部を有することを特徴とする表示装置。
【請求項２】
前記低反射部の後面に前記遮光層とグラデーション印刷層とを設けたことを特徴とする請求項１に記載の表示装置。
【請求項３】
前記グラデーション印刷層は、前記表示素子の中心部の透過率が高く、前記表示素子の外周方向に向かって徐々に透過率が低くなることを特徴とする請求項２に記載の表示装置。
【請求項４】
前記低反射部は、モスアイフィルムであることを特徴とする請求項１乃至請求項３のいずれか１項に記載の表示装置。
【請求項５】
前記表示素子に隣接して前記保護パネルの後面に配設され、加飾照明または警告灯表示を行う点灯部を更に備えたことを特徴とする請求項１乃至請求項４のいずれか１項に記載の表示装置。
【発明の詳細な説明】
【技術分野】
【０００１】
本発明は、表示素子の前側に保護パネルを設けた表示装置に関するものである。
【背景技術】
【０００２】
従来より、保護カバー部材に低反射部を設けることによって表面反射を抑制し、視認性を向上させた表示装置が種々提案されており、例えば特許文献１に開示されている。斯かる表示装置は、カバーガラス基材の両面に反射防止フィルムを用いて反射防止膜を形成することによって表示装置の視認性を向上させるものである。
【先行技術文献】
【特許文献】
【０００３】
【特許文献１】特開２００１−２９０００５号公報（図３）
【発明の概要】
【発明が解決しようとする課題】
【０００４】
しかしながら、特許文献１に記載の表示装置においては、表示装置の内部構造が外部から視認できないようにするためカバーガラス基材裏面の一部に印刷等の方法で遮光層を設ける場合、遮光層の厚みによってカバーガラス基材裏面に凹凸が生じ、凹凸の上に反射防止フィルムを貼付することによって、反射防止フィルムに凹凸が生じてしまうなど、外観品位の点で改善の余地があった。
【０００５】
本発明は、保護カバー部材に低反射部と遮光層を設ける場合においても、優れた外観品位を有する表示装置を提供するものである。
【課題を解決するための手段】
【０００６】
本発明は、表示素子１０と、前記表示素子１０の前側に設けられた保護パネル３０と、を備えた表示装置であって、前記保護パネル３０は、透光性基板３１と、前記透光性基板３１の前記表示素子１０側である後面に設けられた低反射部３２と、前記低反射部３２の後面に設けられた遮光層３３と、を有すると共に、前記遮光層３３は、前記表示素子１０の外周よりも小さな開口部３３ａを有するものである。
【０００７】
また、本発明は、前記低反射部３２の後面に前記遮光層３３とグラデーション印刷層３４とを設けたものである。
【０００８】
また、本発明は、前記グラデーション印刷層３４は、前記表示素子１０の中心部の透過率が高く、前記表示素子１０の外周方向に向かって徐々に透過率が低くなるものである。
【０００９】
また、本発明は、前記低反射部３２は、モスアイフィルムであるものである。
【００１０】
また、本発明は、前記表示素子１０に隣接して前記保護パネル３０の後面に配設され、加飾照明または警告灯表示を行う点灯部２０を更に備えたものである。
【発明の効果】
【００１１】
低反射部の後面に遮光層を設けることで、透光性基板の後面と低反射部の間に段差が生じないため、優れた外観品位を有する表示装置になる。
【図面の簡単な説明】
【００１２】
【図１】本発明の第１実施形態を示す表示装置の主要前面図
【図２】第１実施形態を示すＡ−Ａ断面図
【図３】本発明の保護パネルの主要図
【図４】表示装置のシステム構成を示すブロック図
【図５】第２実施形態を示すＡ−Ａ断面図
【発明を実施するための形態】
【００１３】
以下、添付図面に基づいて、本発明の一実施形態を説明する。
【００１４】
（第１実施形態）本発明の第１実施形態を図１〜図３に基づいて説明する。表示装置１は、表示モジュール１０と、点灯部２０と、保護パネル３０と、ケース部材４０と、回路基板５０で主に構成され、自動車，オートバイ，農業機械，建設機械，船舶等の表示装置として用いられる。
【００１５】
表示モジュール１０は、透明電極が形成された一対のガラス基板に液晶を封入した液晶セルの前後両面に偏光板を貼付した液晶パネルと、液晶パネルの後面に配設され液晶パネルを透過照明するためのバックライトユニットと、液晶パネル及びバックライトユニットを格納するセルケースと、液晶パネル外周を覆うベゼルからなるものである。バックライトユニットは、発光ダイオードからなる発光素子と、発光素子が発した照明光によって液晶パネル全体を均一に照明するための拡散板や反射板を備えている。表示モジュール１０と回路基板５０とは、ＦＰＣ（Flexible Printed Circuit）等の配線部材によって電気的に接続される。回路基板５０には外部コネクタが実装されており、この外部コネクタによって表示装置１が車両と電気的に接続される。回路基板５０には、発光素子５１が搭載されている。発光素子５１は、発光ダイオードからなるものであり、点灯部２０を光輝させる照明光を発する。
【００１６】
点灯部２０は、警告灯表示部または加飾照明部として用いられる。保護パネル３０と回路基板５０の間に設けられたライトガイド６０は、円柱状に形成された照明室であり、発光素子５１が発した照明光を導光部６１によって点灯部２０の背面に導く。導光部６１及び発光素子５１は複数形成されていても良い。
【００１７】
保護カバー部材３０は、透光性基板３１，モスアイフィルム３２，遮光層３３を有している。透光性基板３１は、アクリル等の透光性樹脂からなるものであり、平板形状になっており、前面に指標部を備えていても良い。透光性基板３１の後面には、モスアイフィルム３２が貼着されている。モスアイフィルム３２後面には、光を透過しない遮光層３３が設けられている。遮光層３３には、表示モジュール１０の外周より小さな矩形の開口部３３ａと、点灯部２０の外周と同じ大きさの円形の開口部３３ｂが形成されている。したがって、表示モジュール１０及び点灯部２０による表示以外は保護パネル３０の前面から視認できなくなっている。遮光層３３は黒色インクの３層構造である。また、遮光層３３の代わりに意匠を配置しても良い。
【００１８】
ケース部材４０は、ＡＢＳ等の樹脂からなるものであり、上ケース４１と下ケース４２から構成されている。保護パネル３０は、透光性基板３１にモスアイフィルム３２が貼付され更に遮光層３３が形成された後、上ケース４１にインサート成型される。上ケース４１は、モスアイフィルム３２及び遮光層３３が設けられていない領域で、透光性基板３１に密着している。
【００１９】
下ケース４２は、前面を開口し、上ケース４１の後面に固定される。上下ケース４１，４２の内部に生じる空洞部分に、表示モジュール１０と回路基板５０が格納、固定される。上ケース４１と下ケース４２の接合面には溝が設けられ、溝にパッキン部材が挟持され、上下ケース４１，４２が螺子締めされる。
【００２０】
次に、図４に基づいて、表示装置１の電気的構成を説明する。表示装置１は、回路基板５０上の車両インタフェース回路５２を介して、電源や車両情報に関する信号等を車載ＬＡＮから入力して、これらの信号等に基づいて、制御素子５３により処理を行う。制御素子５３は、表示モジュールインタフェース回路５４によって表示モジュール１０の画面及び照明を駆動させる。また、制御素子５３は、照明駆動回路５５によって発光素子５１を駆動させる。
【００２１】
このような構成によって、透光性基板３１の後面にモスアイフィルム３２と遮光層３３を設ける場合においても、モスアイフィルム３２を平坦に貼付することができる。また、遮光層３３によって上ケース４１，ライトガイド６０とモスアイフィルム３２が接触しないため、上ケース４１，ライトガイド６０との摩擦によってモスアイフィルム３２が損傷する虞が無い。
【００２２】
したがって、表面反射を抑制することで視認性を向上し、透光性基板とモスアイフィルムの間に段差が生じない、優れた外観品位を有する表示装置を提供することができる。
【００２３】
（第２実施形態）次に、本発明の第２実施形態を図５に基づいて説明するが、前述の第１実施形態と同一もしくは相当個所には同一の符号を用いてその詳細な説明は省略する。この第２実施形態が、前記第１実施形態と異なる点は、モスアイフィルム３２の後面に設けられる遮光層３３の開口部３３ａにグラデーション印刷層３４を設けた点にある。
【００２４】
グラデーション印刷層３４は、表示モジュール１０の中心部上方の透過率が最も高く、表示モジュール１０の外周方向に向かって徐々に透過率が低くなっている。したがって、表示モジュール１０と遮光層３３の境界部分が認識しにくくなる。
【００２５】
このような構成によって、表示モジュール１０と保護パネル３０が一体であるように認識される。
【００２６】
したがって、表面反射の抑制による視認性向上、透光性基板とモスアイフィルムの間に段差が生じない事に加え、表示モジュールと保護パネルの一体感が加わり、更に優れた外観品位を有する表示装置を提供することができる。
【００２７】
なお、本発明は、上述した実施形態に限定されるものではなく、種々の変形が可能である。例えば、表示モジュール１０はバックライトを備えた液晶表示素子であったが、有機ＥＬ等の自発光型の表示素子も適用できる。表示モジュール１０の偏光板表面に、傷防止処理，紫外線劣化防止処理等が施されていても良い。透光性基板３１は透光性樹脂であったが、無機ガラスも適用できる。開口部３３ａは矩形であったが、その形状は任意である。ライトガイド６０は円柱状であったが、角柱状や任意の形状としても良い。開口部３３ｂは円形であったが、ライトガイド６０の形状と同じとしても良い。上下ケース４１，４２は樹脂製ではなく金属製であっても良い。また、上下ケース４１，４２は螺子締めではなく、上下ケース４１，４２に設けたフック等によって固定されても良い。
【符号の説明】
【００２８】
１０    表示モジュール（表示素子）
２０    点灯部
３０    保護パネル
３１    透光性基板
３２    モスアイフィルム（低反射部）
３３    遮光層
３３ａ  開口部
３３ｂ  開口部
３４    グラデーション印刷層
４０    ケース部材
４１    上ケース
４２    下ケース
５０    回路基板
５１    発光素子
５２    インタフェース回路
５３    制御素子
５４    表示モジュールインタフェース回路
５５    照明駆動回路
６０    ライトガイド
６１    導光部
【図１】
2016161761.tif 000003
【図２】
2016161761.tif 000004
【図３】
2016161761.tif 000005
【図４】
2016161761.tif 000006
【図５】
2016161761.tif 000007